(57)【要約】  本技術は、わかりやすい画面表示を実現することができるようにする情報処理端末、情報処理方法、およびプログラムに関する。本技術の一実施形態に係る情報処理端末は、画面の表示内容を音声によって読み上げる補助機能がオンになっている場合、所定の内容に関する画面を、補助機能がオフになっている場合の構造と異なる構造の画面として表示させる。本技術は、テレビジョン受像機、パーソナルコンピュータ、携帯端末などの番組の視聴に用いられる機器に適用することができる。
2019073813.tif 000002
【特許請求の範囲】
【請求項１】
画面の表示内容を音声によって読み上げる補助機能がオンになっている場合、所定の内容に関する画面を、前記補助機能がオフになっている場合の構造と異なる構造の画面として表示させる表示制御部を備える
情報処理端末。
【請求項２】
番組表データを取得する取得部をさらに備え、
前記表示制御部は、番組表の画面を表示させる
請求項１に記載の情報処理端末。
【請求項３】
前記表示制御部は、前記補助機能がオンになっている場合、階層が異なる複数の画面からなる前記番組表の画面を表示させ、前記補助機能がオフになっている場合、１つの階層の画面からなる前記番組表の画面を表示させる
請求項２に記載の情報処理端末。
【請求項４】
前記表示制御部は、前記補助機能がオンになっている場合、チャンネルリストの画面と、前記チャンネルリストから選択された所定のチャンネルにおいて提供される番組のリストの画面とからなる、リスト形式の前記番組表の画面を表示させる
請求項３に記載の情報処理端末。
【請求項５】
前記表示制御部は、前記補助機能がオフになっている場合、所定の一方向をチャンネル方向、前記所定の一方向と直交する方向を時間方向とし、各番組が、提供される時間帯に応じた位置に配置されたグリッド形式の前記番組表の画面を表示させる
請求項３に記載の情報処理端末。
【請求項６】
前記補助機能のオンまたはオフを設定する制御部をさらに備え、
前記補助機能は、前記番組表の表示機能を実現するプログラムとは異なるプログラムによって実現される
請求項２に記載の情報処理端末。
【請求項７】
情報処理端末が、
画面の表示内容を音声によって読み上げる補助機能がオンになっている場合、所定の内容に関する画面を、前記補助機能がオフになっている場合の構造と異なる構造の画面として表示させる
情報処理方法。
【請求項８】
コンピュータに、
画面の表示内容を音声によって読み上げる補助機能がオンになっている場合、所定の内容に関する画面を、前記補助機能がオフになっている場合の構造と異なる構造の画面として表示させる
処理を実行させるプログラム。
【請求項９】
番組を提供する複数のチャンネルのうちの、視聴可能なチャンネルを表す情報を取得する取得部と、
番組に関する情報を表示する画面に、視聴可能なチャンネルであることを表すインジケータを表示させる表示制御部と
を備える情報処理端末。
【請求項１０】
前記表示制御部は、番組表の画面に形成された各チャンネルの領域のうち、視聴可能なチャンネルの領域に前記インジケータを表示させる
請求項９に記載の情報処理端末。
【請求項１１】
前記表示制御部は、所定の一方向をチャンネル方向、前記所定の一方向と直交する方向を時間方向とし、各番組が、提供される時間帯に応じた位置に配置されたグリッド形式の番組表の画面に前記インジケータを表示させる
請求項９に記載の情報処理端末。
【請求項１２】
前記表示制御部は、チャンネルリストの画面に形成された各チャンネルの領域のうち、視聴可能なチャンネルの領域に前記インジケータを表示させる
請求項９に記載の情報処理端末。
【発明の詳細な説明】
【技術分野】
【０００１】
本技術は、情報処理端末、情報処理方法、およびプログラムに関し、特に、わかりやすい画面表示を実現することができるようにした情報処理端末、情報処理方法、およびプログラムに関する。
【背景技術】
【０００２】
いわゆるスマートフォンやタブレット端末などの携帯端末で番組を視聴するユーザが増えてきている。録画済みの番組を携帯端末に転送して視聴するのではなく、ネットワーク経由で提供される番組を携帯端末で直接受信して視聴することも、通信環境がよくなることによって可能になってきている。
【先行技術文献】
【特許文献】
【０００３】
【特許文献１】特開２０１６−９２５４５号公報
【発明の概要】
【発明が解決しようとする課題】
【０００４】
CATVの事業者などが提供する配信サービスのチャンネル数が多いこともあり、携帯端末の画面上で特定の番組を見つけるのが難しい。【０００５】
例えば、視覚に障害があるようなユーザにとっては、縦方向にチャンネル軸をとり、横方向に時間軸をとるようなグリッド形式の番組表から特定の番組を見つけ出すことは難しい。【０００６】
また、番組を視聴するためにチャンネル毎の契約が必要となる場合、どのチャンネルが契約済みであり視聴可能であるのかが、視聴可能なチャンネルと視聴不可のチャンネルが混在する番組表からは分かりづらい。【０００７】
本技術はこのような状況に鑑みてなされたものであり、わかりやすい画面表示を実現することができるようにするものである。
【課題を解決するための手段】
【０００８】
本技術の第１の側面の情報処理端末は、画面の表示内容を音声によって読み上げる補助機能がオンになっている場合、所定の内容に関する画面を、前記補助機能がオフになっている場合の構造と異なる構造の画面として表示させる表示制御部を備える。【０００９】
本技術の第２の側面の情報処理端末は、番組を提供する複数のチャンネルのうちの、視聴可能なチャンネルを表す情報を取得する取得部と、番組に関する情報を表示する画面に、視聴可能なチャンネルであることを表すインジケータを表示させる表示制御部とを備える。【００１０】
本技術の第１の側面においては、画面の表示内容を音声によって読み上げる補助機能がオンになっている場合、所定の内容に関する画面が、前記補助機能がオフになっている場合の構造と異なる構造の画面として表示される。【００１１】
本技術の第２の側面においては、番組を提供する複数のチャンネルのうちの、視聴可能なチャンネルを表す情報が取得され、番組に関する情報を表示する画面に、視聴可能なチャンネルであることを表すインジケータが表示される。
【発明の効果】
【００１２】
本技術によれば、わかりやすい画面表示を実現することができる。【００１３】
なお、ここに記載された効果は必ずしも限定されるものではなく、本開示中に記載されたいずれかの効果であってもよい。
【図面の簡単な説明】
【００１４】
【図１】本技術の一実施形態に係る番組配信システムの構成例を示す図である。
【図２】番組表の表示例を示す図である。
【図３】スクリーンリーダー機能の例を示す図である。
【図４】スクリーンリーダー機能がオンである場合の番組表の遷移の例を示す図である。
【図５】スクリーンリーダー機能がオンである場合の番組表の遷移の例を示す図である。
【図６】スクリーンリーダー機能のオン／オフに応じた画面構造の切り替えの例を示す図である。
【図７】携帯端末のハードウェア構成例を示すブロック図である。
【図８】アプリケーション構造の例を示す図である。
【図９】携帯端末の機能構成例を示すブロック図である。
【図１０】携帯端末の番組表表示処理について説明するフローチャートである。
【図１１】番組表の他の表示例を示す図である。
【図１２】リスト形式の番組表の表示例を示す図である。
【図１３】トップ画面の表示例を示す図である。
【図１４】トップ画面の表示例を示す図である。
【図１５】チャンネル設定画面の表示例を示す図である。
【図１６】チャンネル編集画面の表示例を示す図である。
【図１７】番組の検索画面の例を示す図である。
【図１８】番組詳細画面の表示例を示す図である。
【図１９】関連番組の検索結果の表示画面の例を示す図である。
【図２０】携帯端末の番組表表示処理について説明するフローチャートである。
【図２１】コンピュータの構成例を示すブロック図である。
【発明を実施するための形態】
【００１５】
以下、本技術を実施するための形態について説明する。説明は以下の順序で行う。
１．第１の実施の形態（スクリーンリーダー機能のオン／オフに応じた表示切り替えの例）
２．第２の実施の形態（Playable Indicatorの例）
【００１６】
＜＜第１の実施の形態＞＞
＜番組配信システムの構成＞
図１は、本技術の一実施形態に係る番組配信システムの構成例を示す図である。
【００１７】
図１の番組配信システムは、携帯端末１、番組表管理サーバ１１、および携帯端末用番組配信サーバ１２がインターネット２１に接続され、TV２と番組配信サーバ１３がケーブルテレビのネットワーク２２に接続されることによって構成される。
【００１８】
角丸長方形の枠で囲んで示すように、携帯端末１とTV（テレビジョン受像機）２は、番組（コンテンツ）の視聴者となるユーザ側の構成である。携帯端末１は、スマートフォンやタブレット端末などの携帯型の情報処理端末である。一方、番組表管理サーバ１１、携帯端末用番組配信サーバ１２、番組配信サーバ１３は、番組の提供側となるCATV事業者などの放送事業者側の構成である。
【００１９】
この例においては、携帯端末１のユーザとTV２のユーザは同じユーザであり、番組配信サーバ１３等を管理する放送事業者が提供する配信サービスに契約しているものとする。図１には１ユーザの構成のみが示されているが、実際には、TVと携帯端末を使用して番組を視聴する複数のユーザがいて、それらのユーザが使用する機器も設けられる。
【００２０】
番組表管理サーバ１１は、各放送事業者が提供する番組の情報を管理し、番組表（EPG(Electronic Program Guide)）をユーザに提供する。
【００２１】
携帯端末用番組配信サーバ１２は、番組配信サーバ１３から供給された携帯端末用の番組を管理する。携帯端末用番組配信サーバ１２は、予め決められたスケジュールに従って、複数のチャンネルを用いて番組を配信する。なお、携帯端末用番組配信サーバ１２が番組の配信に用いるチャンネルは、複数の番組を続けて送信するサービスのために規定された仮想的なチャンネルである。
【００２２】
携帯端末用番組配信サーバ１２による番組の配信は、いわゆるオンデマンドで行われるのではなく、放送事業者側で予め決められたスケジュールに従って行われる。携帯端末用番組配信サーバ１２が配信する番組は、携帯端末１において受信され、出力される。
【００２３】
携帯端末用番組配信サーバ１２が配信する番組は、例えば番組配信サーバ１３が配信する番組と同じ番組である。携帯端末用番組配信サーバ１２と番組配信サーバ１３による番組の配信は、サイマル形式で同じスケジュールに従って行われるようにしてもよいし、異なるスケジュールに従って行われるようにしてもよい。携帯端末用番組配信サーバ１２と番組配信サーバ１３からそれぞれ異なる番組が配信されるようにしてもよい。
【００２４】
番組配信サーバ１３は、予め決められたスケジュールに従って、複数のチャンネルを用いて番組を配信する。番組配信サーバ１３が配信する番組は、TV２において受信され、出力される。番組配信サーバ１３は、携帯端末用の番組を生成し、白抜き矢印Ａ１で示すように携帯端末用番組配信サーバ１２に提供する。
【００２５】
ユーザは、例えば家にいるときには、矢印Ａ１１で示すようにネットワーク２２経由で配信される番組をTV２を用いて視聴することができる。また、ユーザは、例えば外出しているときには、矢印Ａ１２で示すようにインターネット２１経由で配信される番組を携帯端末１を用いて視聴することができる。
【００２６】
携帯端末用番組配信サーバ１２による番組の配信が、インターネットではなく放送波を用いて行われるようにしてもよい。また、番組配信サーバ１３による番組の配信が、ケーブルテレビのネットワークではなく、インターネットを用いて行われるようにしてもよいし、放送波を用いて行われるようにしてもよい。
【００２７】
番組の配信が、ケーブルテレビのネットワーク、インターネット、および放送波を組み合わせた伝送路を用いて番組の配信が行われるようにしてもよい。このように、携帯端末用番組配信サーバ１２と番組配信サーバ１３による番組の提供が、各種の伝送路を用いて行われるようにすることが可能である。
【００２８】
図２は、携帯端末１において表示される番組表の例を示す図である。
【００２９】
図２に示す番組表は、縦方向をチャンネル方向とし、横方向を時間方向とする番組表である。横方向をチャンネル方向とし、縦方向を時間方向とする番組表が表示されるようにしてもよい。
【００３０】
画面の左端に形成された縦長帯状のチャンネル領域５１には、各チャンネルが縦に並べて形成される。各チャンネルの領域には、チャンネルの名称、チャンネル番号、チャンネルのロゴが表示される。図２の例においては８チャンネルが示されている。
【００３１】
また、画面の上方に形成された横長帯状の時刻領域５２には時刻が表示される。図２の例においては、19:00から20:00すぎまでの時間帯が表示されている。時刻領域５２に表示される小円形のポインタ５２Ａと、ポインタ５２Ａから下に延びる破線は現在時刻を表す。
【００３２】
チャンネル領域５１の右側に形成された番組領域５３には、各チャンネルで提供される番組の情報が配信時間に応じた位置に表示される。図２の例においては、番組のタイトルを含む情報が各番組の領域に表示される。
【００３３】
例えば、ユーザは、番組領域５３上で上下方向のスワイプを行うことにより、番組領域５３に表示させるチャンネルの範囲を切り替えることができる。番組表管理サーバ１１が提供する情報には、例えば１００チャンネル分といったように、図２に示す８チャンネル以外のチャンネルの情報も含まれている。また、ユーザは、番組領域５３上で左右方向のスワイプを行うことにより、番組領域５３に表示させる時間帯を切り替えることができる。
【００３４】
ユーザは、時刻領域５２の上に表示されている日付の左右にある三角マークをタップすることにより、違う日付の番組表を表示させることができる。
【００３５】
携帯端末１には、携帯端末用番組配信サーバ１２が配信する番組を受信して再生したり、番組表管理サーバ１１が提供する情報を受信して番組表を表示したりするためのプログラムであるTV視聴アプリケーションがインストールされている。ユーザは、TV視聴アプリケーションを起動させ、図２に示すような番組表から所定の番組を選択することによって、携帯端末１上で番組を視聴することができる。
【００３６】
＜ユーザ補助機能について＞
携帯端末１には、ユーザ補助機能（Accessibility）として、画面の表示内容を音声によって読み上げる、いわゆるスクリーンリーダー機能が搭載されている。スクリーンリーダー機能は、視覚障害者に表示内容を伝えるためなどに用いられる。
【００３７】
スクリーンリーダー機能は、携帯端末１に搭載されるOSがAndroid（登録商標）である場合にはTalkBack機能と呼ばれるものであり、iOS（登録商標）である場合にはVoiceOver機能と呼ばれるものである。
【００３８】
スクリーンリーダー機能は、TV視聴アプリケーションとは異なるアプリケーションであるスクリーンリーダーアプリケーションにより実現される。ユーザは、設定画面からスクリーンリーダー機能のオン／オフを設定することができる。
【００３９】
図３は、スクリーンリーダー機能の例を示す図である。
【００４０】
図３に示す各画面は、TV視聴アプリケーションのメニュー画面である。TV視聴アプリケーションを起動させ、所定の操作を行ったとき、図３に示すような各項目のリストがメニュー画面として表示される。
【００４１】
メニュー画面には、上から順に、「Search TV program/videos」、「Top picks」、「Program guide」などの項目が選択項目として表示される。
【００４２】
「Search TV program/videos」の項目は番組やビデオの検索機能を表す。「Search TV program/videos」の項目が選択された場合、キーワードの入力領域が設けられた検索画面が表示される。
【００４３】
「Top picks」の項目は番組の情報を掲載したトップ画面を表す。「Top picks」の項目が選択された場合、おすすめ番組の情報などが掲載されたトップ画面が表示される。トップ画面から、メニュー画面、ジャンル毎の番組のリスト、配信中の番組のリストなどを表示させることが可能とされる。
【００４４】
「Program guide」の項目は番組表を表す。「Program guide」の項目が選択された場合、番組表の画面が表示される。
【００４５】
図３の左端の画面に示すように、例えば、メニュー画面が表示されている状態で「Search TV program/videos」の項目を一度タップした場合、「Search TV program/videos」の項目が選択された状態（フォーカスが当たった状態）となる。また、矢印Ａ３１の先に示すように、選択された位置にある表示内容を表す「Search TV program/videos」の音声が出力される。
【００４６】
「Search TV program/videos」の項目が選択された状態で、矢印Ａ３２の先に示すように、再度、「Search TV program/videos」の項目をタップした場合、矢印Ａ３３の先に示すように「Search TV program/videos」の項目が決定される。
【００４７】
このように、スクリーンリーダー機能がオンになっている場合、１回目のタップで、選択された位置の表示内容を表す音声が出力される。また、２回目のタップで、選択中の項目が決定される。
【００４８】
項目の選択はタップだけでなく、スワイプによっても行われる。また、項目の選択はフォーカスをドラッグすることによっても行われる。
【００４９】
各項目がリスト形式で並ぶ図３に示すような画面が表示されている状態で右方向のスワイプが行われた場合、選択中の項目の次の項目が選択され、項目の内容が読み上げられる。右方向のスワイプを繰り返すことにより、ユーザは、選択中の項目を１つ後の項目に順に切り替えることができる。
【００５０】
また、図３に示すような画面が表示されている状態で左方向のスワイプが行われた場合、選択中の項目の１つ前の項目が選択され、項目の内容が読み上げられる。左方向のスワイプを繰り返すことにより、ユーザは、選択中の項目を１つ前の項目に順に切り替えることができる。
【００５１】
各項目が一方向（一次元）に並ぶメニュー画面のような画面であれば、フォーカスが当たる項目の順番が項目の並び順と一致するから、わかりやすい形で、項目の並びを音声でユーザに伝えることが可能になる。
【００５２】
ここで、縦方向をチャンネル方向、横方向を時刻方向として二次元で情報を表示する図２の番組表のような画面について考える。番組表において、フォーカスを当てる番組をユーザの操作に応じて順に切り替えるとした場合、各番組の配信時間が異なり、各番組の情報が一定の並びで表示されているわけではないから、番組の並びを音声でユーザに伝えることが難しい。
【００５３】
携帯端末１においては、スクリーンリーダー機能がオンであるか、オフであるかに応じて、番組表の表示構造が切り替えられるようになされている。
【００５４】
＜スクリーンリーダー機能のオン／オフに応じた表示構造の切り替え＞
図４、図５は、スクリーンリーダー機能がオンである場合の番組表の遷移の例を示す図である。
【００５５】
図４の左端に示すメニュー画面から「Program guide」が選択された場合、矢印Ａ４１の先に示すようにチャンネルリストが表示される。図４において、色付きの円は、タップが２回続けて行われるなどして、項目を決定するための操作が行われたことを表す。図５以降においても同様である。
【００５６】
チャンネルリストには、上から順に、各チャンネルが選択項目として表示される。チャンネルリストを構成する各チャンネルの領域には、チャンネルの名称、チャンネル番号、チャンネルのロゴが表示される。図４の例においては６チャンネルが示されている。
【００５７】
チャンネルリストが表示されている状態で例えばスワイプが行われる毎に、上に表示されているチャンネルから順に、フォーカスを当てるチャンネルが切り替えられる。ユーザは、読み上げられる音声を聞いて、所定のチャンネルを選択することになる。
【００５８】
チャンネルリストから１番上の「bh-Art8」のチャンネルが選択された場合、矢印Ａ４２の先に示すように番組リストが表示される。チャンネルリストと番組リストは、階層が異なる画面である。
【００５９】
番組リストには、チャンネルリストから選択された「bh-Art8」のチャンネルで配信される番組の情報が時刻順に並べて表示される。
【００６０】
図４の例においては、「World Soccer」、「Victorious Cheer」、「Future City」、「Young people」、「Evening News」の５つの番組が順に表示されている。番組リストを構成する各番組の領域には、番組のサムネイル画像、名称、放送日時が表示される。
【００６１】
「World Soccer」は14:00-16:00の時間帯に配信される番組であり、「Victorious Cheer」は16:00-17:00の時間帯に配信される番組である。「Future City」は17:00-17:30の時間帯に配信される番組であり、「Young people」は17:30-18:00の時間帯に配信される番組である。「Evening News」は18:00-19:00の時間帯に配信される番組である。
【００６２】
番組リストが表示されている状態で例えばスワイプが行われる毎に、上に表示されている番組から順に、フォーカスを当てる番組が切り替えられる。ユーザは、読み上げられる音声を聞いて、所定の番組を選択することになる。
【００６３】
番組リストから１番上の「World Soccer」の番組が選択された場合、図５の矢印Ａ４３の先に示すように番組詳細画面が表示される。
【００６４】
番組詳細画面には、「World Soccer」の番組の詳細な情報が表示される。番組詳細画面が表示されている状態で例えばスワイプが行われる毎に、上に表示されている内容から順に、フォーカスを当てる内容が切り替えられる。ユーザは、読み上げられる音声を聞いて、番組の詳細を確認することになる。
【００６５】
番組詳細画面の左下には、「World Soccer」の番組の視聴を開始するときに操作される視聴開始ボタン６１が表示される。スワイプが行われることによって視聴開始ボタン６１にフォーカスが当たった状態となり、その状態でタップが行われた場合、番組の再生が開始され、矢印Ａ４４の先に示すように「World Soccer」の番組の映像が表示される。
【００６６】
携帯端末１は、「bh-Art8」のチャンネルに割り当てられた所定のURLにアクセスするなどして、現在配信中の「World Soccer」の番組の受信を開始することになる。携帯端末１は、携帯端末用番組配信サーバ１２から送信されてきたコンテンツに含まれるビデオストリームを復号することによって番組の映像をディスプレイに表示させ、オーディオストリームを復号することによって番組の音声をスピーカから出力させる。
【００６７】
このように、スクリーンリーダー機能がオンである場合、番組表は、チャンネルリストと番組リストといった、階層が異なる２つの画面から構成される。
【００６８】
チャンネルリストにおいては、選択項目となるチャンネルが一方向に並び、フォーカスが当たるチャンネルの順番がチャンネルの並び順と一致するから、わかりやすい形で、チャンネルの並びを音声でユーザに伝えることが可能になる。
【００６９】
また、番組リストにおいては、選択項目となる番組が一方向に並び、フォーカスが当たる番組の順番が番組の並び順と一致するから、わかりやすい形で、番組の並びを音声でユーザに伝えることが可能になる。
【００７０】
図６は、スクリーンリーダー機能のオン／オフに応じた画面構造の切り替えの例を示す図である。
【００７１】
番組表の表示が指示された場合、スクリーンリーダー機能がオンであるときには、図６の左側に示すように、チャンネルリストと番組リストの２階層の構造を有する番組表が表示される。
【００７２】
一方、スクリーンリーダー機能がオフであるときには、図６の右側に示すように、図２を参照して説明したような、縦方向をチャンネル方向、横方向を時刻方向とし、各番組の情報が対応する位置に並ぶ番組表が表示される。図２の番組表は、１階層の構造を有する番組表ということができる。
【００７３】
このように、スクリーンリーダー機能がオンである場合とオフである場合とで番組表の構造を切り替えることにより、わかりやすい番組表をユーザに提示することができる。
【００７４】
以下、適宜、チャンネルリストと番組リストの２つのリストから構成されるため、スクリーンリーダー機能がオンである場合の番組表をリスト形式の番組表という。また、縦方向をチャンネル方向、横方向を時刻方向とし、各番組の情報が対応する位置に並ぶため、スクリーンリーダー機能がオフである場合の番組表をグリッド形式の番組表という。
【００７５】
以上のようにして番組表の表示を制御する携帯端末１の処理についてはフローチャートを参照して後述する。
【００７６】
＜携帯端末の構成例＞
図７は、携帯端末１のハードウェア構成例を示すブロック図である。
【００７７】
CPU(Central Processing Unit)１０１、ROM(Read Only Memory)１０２、RAM(Random Access Memory)１０３は、バス１０４により相互に接続されている。
【００７８】
バス１０４には、さらに、入出力インタフェース１０５が接続される。入出力インタフェース１０５には、ディスプレイ１０６、タッチパネル１０７、スピーカ１０８、カメラ１０９、フラッシュメモリ１１０、通信部１１１、およびドライブ１１２が接続される。
【００７９】
ディスプレイ１０６は、LCDや有機ELディスプレイなどにより構成される。ディスプレイ１０６は、上述したような各種の画面を表示する。
【００８０】
タッチパネル１０７は、ディスプレイ１０６の表面に対するユーザの操作を検出し、ユーザの操作の内容を表す情報を出力する。
【００８１】
スピーカ１０８は、スクリーンリーダー機能による音声、番組の音声、音楽などの各種の音を出力する。
【００８２】
カメラ１０９は、ユーザの操作に応じて撮影を行い、画像データを出力する。
【００８３】
フラッシュメモリ１１０は、CPU１０１が実行するプログラムなどの各種のデータを記憶する。
【００８４】
通信部１１１は、無線通信のインタフェースである。通信部１１１は、インターネット２１を介して接続される番組表管理サーバ１１、携帯端末用番組配信サーバ１２などの外部の装置と通信を行う。
【００８５】
ドライブ１１２は、メモリカードなどのリムーバブルメディア１１３を駆動し、リムーバブルメディア１１３に対するデータの書き込み、リムーバブルメディア１１３に記憶されているデータの読み出しを行う。
【００８６】
図８は、アプリケーション構造の例を示す図である。
【００８７】
図８に示すように、携帯端末１には、OS上で動作する複数のアプリケーションがインストールされる。図８の例においては、上述したTV視聴アプリケーションとスクリーンリーダーアプリケーションの他に、Webブラウザ、メール管理アプリケーション、および音楽再生アプリケーションが示されている。
【００８８】
Webブラウザは、インターネット２１上のサーバから受信した情報に基づいてWebページを表示させる。メール管理アプリケーションはメーラーであり、電子メールの送受信を管理する。音楽再生アプリケーションは、携帯端末１のメモリに記憶されている音楽データや、インターネット２１を介して受信した音楽データを再生し、携帯端末１のスピーカから音楽を出力させる。
【００８９】
図９は、携帯端末１の機能構成例を示すブロック図である。
【００９０】
図９に示す機能部のうちの少なくとも一部は、図７のCPU１０１によりTV視聴アプリケーションとスクリーンリーダーアプリケーションが実行されることによって実現される。
【００９１】
携帯端末１においては、制御部１３１、番組データ取得部１３２、再生部１３３、出力制御部１３４、および番組表データ取得部１３５が実現される。再生部１３３は、ビデオデコーダ１４１とオーディオデコーダ１４２から構成される。出力制御部１３４は、表示制御部１５１と音声出力制御部１５２から構成される。
【００９２】
制御部１３１は、再生部１３３による番組データの再生、表示制御部１５１による番組の映像の表示、および、音声出力制御部１５２による番組の音声の出力をそれぞれ制御する。
【００９３】
また、制御部１３１は、スクリーンリーダー機能がオンである場合、ユーザの操作に応じて、フォーカスを当てる対象を切り替える。制御部１３１は、音声出力制御部１５２を制御し、フォーカスを当てている位置の表示内容を表す音声を出力させる。
【００９４】
番組データ取得部１３２は、再生対象とする番組のデータを取得する。例えば、番組表から所定のチャンネルが選択された場合、番組データ取得部１３２は、通信部１１１を制御して携帯端末用番組配信サーバ１２にアクセスし、番組のデータの受信を開始する。
【００９５】
番組データ取得部１３２は、受信した番組のデータからビデオデータを抽出して再生部１３３のビデオデコーダ１４１に出力し、オーディオデータを抽出してオーディオデコーダ１４２に出力する。
【００９６】
再生部１３３のビデオデコーダ１４１は、番組のビデオデータをデコードし、デコードして得られた番組の映像のデータを表示制御部１５１に出力する。
【００９７】
オーディオデコーダ１４２は、番組のオーディオデータをデコードし、デコードして得られた番組の音声のデータを音声出力制御部１５２に出力する。
【００９８】
表示制御部１５１は、ビデオデコーダ１４１から供給されたデータに基づいて、番組の映像をディスプレイ１０６に表示させる。また、表示制御部１５１は、番組表データ取得部１３５から供給されたデータに基づいて、番組表をディスプレイ１０６に表示させる。表示制御部１５１が表示する番組表の構造が、制御部１３１による制御に従って切り替えられる。
【００９９】
音声出力制御部１５２は、オーディオデコーダ１４２から供給されたデータに基づいて、番組の音声をスピーカ１０８から出力させる。また、音声出力制御部１５２は、スクリーンリーダー機能がオンである場合、制御部１３１による制御に従って、表示内容を表す音声をスピーカ１０８から出力させる。
【０１００】
番組表データ取得部１３５は、通信部１１１を制御することによって番組表管理サーバ１１と通信を行い、番組表のデータを取得する。番組表データ取得部１３５は、取得した番組表のデータを表示制御部１５１に出力する。
【０１０１】
＜携帯端末の動作＞
ここで、図１０のフローチャートを参照して、番組表を表示する携帯端末１の処理について説明する。
【０１０２】
ステップＳ１において、番組表データ取得部１３５は、番組表管理サーバ１１と通信を行い、番組表のデータを取得する。
【０１０３】
ステップＳ２において、制御部１３１は、番組表の表示が指示されたか否かを判定し、番組表の表示が指示されたと判定するまで待機する。図３に示すようなメニュー画面から「Program guide」の項目が選択され、番組表の表示が指示されたとステップＳ２において判定された場合、処理はステップＳ３に進む。
【０１０４】
ステップＳ３において、制御部１３１は、スクリーンリーダー機能がオンであるか否かを判定する。
【０１０５】
スクリーンリーダー機能がオンであるとステップＳ３において判定した場合、ステップＳ４において、制御部１３１は、表示制御部１５１を制御し、図４、図５を参照して説明したようなリスト形式の番組表を表示させる。
【０１０６】
一方、スクリーンリーダー機能がオフであるとステップＳ３において判定した場合、ステップＳ５において、制御部１３１は、表示制御部１５１を制御し、図２を参照して説明したようなグリッド形式の番組表を表示させる。
【０１０７】
ステップＳ４においてリスト形式の番組表が表示された後、または、ステップＳ５においてグリッド形式の番組表が表示された後、処理は終了となる。ユーザは、番組表から所定の番組を選択し、番組の視聴を開始する。
【０１０８】
このように、スクリーンリーダー機能がオンである場合とオフである場合とで番組表の構造を切り替えることにより、わかりやすい番組表をユーザに提示することができる。
【０１０９】
リスト形式の番組表がチャンネルリストと番組リストの２階層の画面から構成されるものとしたが、さらに多くの階層の画面から構成されるようにしてもよい。
【０１１０】
＜＜第２の実施の形態＞＞
＜番組表の表示＞
図１１は、番組表の他の例を示す図である。
【０１１１】
図１１に示す番組表は、円＃１，＃２で囲んで示すように、Playable Indicatorが所定のチャンネルの領域に表示されている点で、図２に示す番組表と異なる。
【０１１２】
Playable Indicatorは、携帯端末で視聴可能なチャンネルであることを表すアイコンである。Playable Indicatorは、番組ではなく、チャンネルと紐付けられる情報である。図１１の例においては、Playable Indicatorが角丸長方形の内側に右向きの三角形が配置された画像とされているが、他の画像であってもよい。
【０１１３】
図１１の例においては、上から３つ目の「Watch oom」のチャンネルと６つ目の「Hit ch」のチャンネルの２つのチャンネルについて契約済みであり、それらのチャンネルで配信される番組をユーザが視聴することができるものとされている。Playable Indicatorが表示されていない他のチャネルの番組をユーザは視聴することができない。
【０１１４】
例えば、携帯端末用番組配信サーバ１２と番組配信サーバ１３が配信する番組を視聴するためにはチャンネル毎の契約が必要とされる。視聴可能なチャンネルの情報と視聴不可のチャンネルの情報が混在する番組表に、このような視聴可能なチャンネルであることを表す表示を設けることにより、ユーザは、視聴可能なチャンネルを容易に確認することができる。
【０１１５】
TV視聴アプリケーションにより実現される番組表データ取得部１３５（図９）は、携帯端末１のユーザの契約情報を例えば番組表管理サーバ１１から取得し、Playable Indicatorの表示に用いる。番組表管理サーバ１１においては、各ユーザの契約済みのチャンネルの情報を含む契約情報が管理されている。契約情報は、ユーザが視聴可能なチャンネルを表す情報となる。
【０１１６】
契約情報が、番組表管理サーバ１１とは異なるサーバにおいて管理されるようにしてもよい。
【０１１７】
図１２は、リスト形式の番組表の例を示す図である。
【０１１８】
Playable Indicatorは、スクリーンリーダー機能がオンになっているときに表示されるリスト形式の番組表にも表示される。
【０１１９】
図１２の左側に示すチャンネルリストは、円＃１１，＃１２，＃１３で囲んで示すように３つのチャンネルの領域にPlayable Indicatorが表示されている点で、図４のチャンネルリストと異なる。これらの３つのチャンネルが、ユーザが視聴可能なチャンネルである。
【０１２０】
例えば、上から３つ目の「Watch oom」のチャンネルが選択された場合、矢印Ａ１０１の先に示すように、「Watch oom」のチャンネルで配信される番組のリストが表示される。番組のリストには、それぞれの番組のサムネイル画像、タイトル、配信日時などの情報が表示される。
【０１２１】
「Watch oom」のチャンネル自体が視聴可能なチャンネルとされているから、円＃２１〜＃２５で囲んで示すように、「Watch oom」のチャンネルで配信される全ての番組の領域にPlayable Indicatorが表示される。
【０１２２】
このように、Playable Indicatorは、グリッド形式の番組表とリスト形式の番組表の両方の番組表の表示に用いられる。
【０１２３】
＜他の画面の表示＞
Playable Indicatorは、チャンネルに関する情報を表示する、番組表以外の画面の表示にも用いられる。
【０１２４】
例えば、Playable Indicatorは、以下の画面の表示に用いられる。
・チャンネル設定画面
・トップ画面（「Top picks」）
・検索結果の表示画面
・My Keyword検索画面
・ブックマークリスト
【０１２５】
・トップ画面の例
図１３は、トップ画面の表示例を示す図である。
【０１２６】
トップ画面は、TV視聴アプリケーションを起動させた直後に表示される画面である。トップ画面の左上にはメニューアイコン２０１が表示され、右上には検索アイコン２０２が表示される。メニューアイコン２０１をタップすることにより、図３を参照して説明したようなメニュー画面が表示される。また、検索アイコン２０２をタップすることにより、番組の検索画面が表示される。
【０１２７】
図１３に示すように、トップ画面には複数のタイル領域が形成され、各タイル領域に、おすすめ番組などの所定の番組の情報が表示される。図１３の例においては、上方に横長長方形のタイル領域２０３が形成され、その下に、縦長長方形のタイル領域２０４−１乃至２０４−６が２行３列に並べて形成される。
【０１２８】
タイル領域２０３全体には１つの番組のサムネイル画像が表示され、タイル領域２０４−１乃至２０４−６には、それぞれ、番組のサムネイル画像、番組のタイトル、放送日時などの情報が表示される。円で囲んで示すように、タイル領域２０４−１乃至２０４−６のうちのタイル領域２０４−２，２０４−３，２０４−４には、それぞれPlayable Indicatorが表示されている。
【０１２９】
タイル領域２０４−２，２０４−３，２０４−４に表示されているPlayable Indicatorは、タイル領域２０４−２，２０４−３，２０４−４に表示されている番組を配信するチャンネルが視聴可能なチャンネルであることを表す。
【０１３０】
なお、図１３に示すトップ画面は、トップ画面の１階層目の画面である。トップ画面は複数の階層の構造を有する。図１３の１階層目の画面において、さらに多くの番組の情報を表示させるための操作などの所定の操作が行われた場合、トップ画面の表示は、図１４に示す２階層目の表示に切り替わる。
【０１３１】
図１４に示すように、２階層目の画面は、おすすめ番組などをリスト形式で表示する画面となる。２階層目の画面においても、円で囲んで示すように、視聴可能なチャンネルで配信される番組の領域にはPlayable Indicatorが表示される。
【０１３２】
このように、Playable Indicatorは、トップ画面の表示にも用いられる。ユーザは、トップ画面に表示されている番組のうち、どの番組を配信するチャンネルについて視聴可能であるのかを確認することができる。
【０１３３】
・チャンネル設定画面の例
図１５は、チャンネル設定画面の表示例を示す図である。
【０１３４】
チャンネル設定画面は、番組表に表示させるチャンネルの設定に用いられる画面である。チャンネル設定画面は、例えばメニュー画面から設定（「Settings」）の項目を選択したときに表示される。
【０１３５】
図１５に示すように、チャンネル設定画面には、番組表に表示させるチャンネルとして選択可能なチャンネルのリストが表示される。図１５の例においては、５０のチャンネルのうちの５つのチャンネルが表示されている。ユーザは、上下方向のスワイプを行うことにより、他のチャンネルを表示させることができる。
【０１３６】
各チャンネルの領域の右端にはチェックボックスが設けられている。ユーザは、チェックボックスにチェックを入れたりチェックを外したりすることにより、番組表に表示させるチャンネルを選択することになる。
【０１３７】
各チャンネルの領域には、チャンネルの名称、チャンネル番号、チャンネルのロゴが表示される。また、円で囲んで示すように、３つのチャンネルの領域にはPlayable Indicatorが表示される。これらの３つのチャンネルが、ユーザが視聴可能なチャンネルである。
【０１３８】
図１６は、チャンネル編集画面の表示例を示す図である。
【０１３９】
チャンネル編集画面は、番組表における各チャンネルの表示順の編集に用いられる画面である。例えば、図１５のチャンネル設定画面を用いてチャンネルの選択が行われた後にチャンネル編集画面が表示される。
【０１４０】
チャンネル編集画面には、図１５のチャンネル設定画面を用いて選択されたチャンネルのリストが表示される。ユーザは、所定のチャンネルの領域を長押しし、その状態のまま他のチャンネルの領域の位置に移動させることによって、チャンネルの表示順を並び替えることができる。
【０１４１】
図１６に示すチャンネル編集画面においても、各チャンネルの領域には、チャンネルの名称、チャンネル番号、チャンネルのロゴが表示される。また、円で囲んで示すように、視聴可能な３つのチャンネルの領域にはPlayable Indicatorが表示される。
【０１４２】
このように、Playable Indicatorは、チャンネル設定画面やチャンネル編集画面の表示にも用いられる。ユーザは、チャンネル設定画面やチャンネル編集画面に表示されているチャンネルのうち、どのチャンネルについて視聴可能であるのかを確認することができる。
【０１４３】
・検索結果の表示画面
図１７は、番組の検索画面の例を示す図である。
【０１４４】
検索画面の上方には、キーワードの入力欄２１１が設けられる。入力欄２１１に入力されたキーワードに基づいて番組の検索が行われ、検索結果の番組のリストが入力欄２１１の下方に表示される。番組の検索は、番組表データ取得部１３５により取得された番組表データに含まれる番組を対象として制御部１３１により行われる。
【０１４５】
入力欄２１１の下方に表示された番組のリストには、それぞれの番組のサムネイル画像、タイトル、配信日時などの情報が表示される。また、検索結果として挙げられた番組のうち、円で囲んで示すように、視聴可能なチャンネルで配信される番組の領域にはPlayable Indicatorが表示される。図１７の例においては、２つの番組が、視聴可能なチャンネルで配信される番組とされている。
【０１４６】
検索結果として挙げられた番組の中から所定の番組が選択された場合、検索画面の表示は、選択された番組の詳細情報を表示する番組詳細画面に切り替わる。
【０１４７】
図１８は、番組詳細画面の表示例を示す図である。
【０１４８】
番組詳細画面の上方には、関連コンテンツを表示させるときに選択されるタブ２２１と、詳細情報を表示させるときに選択されるタブ２２２が表示される。図１８の例においてはタブ２２２が選択された状態とされている。
【０１４９】
図１８に示すように、タブ２２１、タブ２２２の下には、図１７の検索画面から選択された番組のサムネイル画像が拡大して表示され、その下に、タイトルなどの詳細な情報が表示される。このような詳細情報が表示されている番組が視聴可能なチャンネルで配信される番組である場合、図１８の円で囲んで示すように、Playable Indicatorが表示される。
【０１５０】
図１９は、関連番組の検索結果の表示画面の例を示す図である。
【０１５１】
図１９に示す画面は、例えば、図１８のタブ２２１が選択されたときに、図１８の番組詳細画面に代えて表示される。タブ２２１、タブ２２２の下には、関連番組のリストが表示される。番組の検索は、番組表データ取得部１３５により取得された番組表データに含まれる番組を対象として制御部１３１により行われる。
【０１５２】
関連番組のリストには、それぞれの番組のサムネイル画像、タイトル、配信日時などの情報が表示される。また、円で囲んで示すように、関連番組のうち、視聴可能なチャンネルで配信される番組の領域にはPlayable Indicatorが表示される。図１９の例においては、２つの番組が、視聴可能なチャンネルで配信される番組とされている。
【０１５３】
このように、Playable Indicatorは、番組の検索結果の表示画面、番組詳細画面、関連番組の検索結果の表示画面の表示にも用いられる。ユーザは、それぞれの画面に表示されている番組のうち、どの番組を配信するチャンネルについて視聴可能であるのかを確認することができる。
【０１５４】
登録済みのキーワードに基づいて検索された番組の検索結果を表示するMy Keyword検索画面、ブックマークを登録した番組のリストであるブックマークリストを表示する画面においても、適宜、Playable Indicatorが表示される。
【０１５５】
このように、チャンネルに関する情報を表示する各種の画面に、Playable Indicatorを表示させることが可能である。
【０１５６】
＜携帯端末の動作＞
ここで、図２０のフローチャートを参照して、Playable Indicatorを含む番組表を表示する携帯端末１の処理について説明する。
【０１５７】
ステップＳ２１において、番組表データ取得部１３５は、番組表管理サーバ１１と通信を行い、番組表のデータを取得する。
【０１５８】
ステップＳ２２において、番組表データ取得部１３５は、番組表管理サーバ１１と通信を行い、携帯端末１のユーザの契約情報を取得する。
【０１５９】
ステップＳ２３において、制御部１３１は、番組表の表示が指示されたか否かを判定し、番組表の表示が指示されたと判定するまで待機する。図３に示すようなメニュー画面から「Program guide」の項目が選択され、番組表の表示が指示されたとステップＳ２３において判定された場合、処理はステップＳ２４に進む。
【０１６０】
ステップＳ２４において、表示制御部１５１は、視聴可能なチャンネルを番組表データ取得部１３５により取得された契約情報に基づいて特定し、視聴可能なチャンネルの欄にPlayable Indicatorを配置した番組表を表示させる。スクリーンリーダー機能がオフである場合には図１１の番組表が表示され、スクリーンリーダー機能がオンである場合には図１２の番組表が表示される。
【０１６１】
このように、視聴可能なチャンネルの欄にPlayable Indicatorを表示させることにより、どのチャンネルが視聴可能であるのかがわかりやすい番組表をユーザに提示することが可能になる。
【０１６２】
ここでは番組表を表示する場合について説明したが、他の画面を表示する場合にも同様に、視聴可能なチャンネルが番組表管理サーバ１１などから取得された契約情報に基づいて特定され、Playable Indicatorが表示される。
【０１６３】
Playable Indicatorを含む画面が携帯端末１に表示されるものとしたが、TV２が表示する画面に、Playable Indicatorが表示されるようにしてもよい。
【０１６４】
＜＜その他の例＞＞
【０１６５】
番組表管理サーバ１１、携帯端末用番組配信サーバ１２、および番組配信サーバ１３が物理的に１つの装置から構成されるようにしてもよいし、ネットワークを介して接続される複数の装置から構成されるようにしてもよい。
【０１６６】
また、Playable Indicatorを含む番組表などの画面の表示が、契約情報などに基づいて携帯端末１により行われるものとしたが、Playable Indicatorを含む画面が契約情報に基づいてサーバ側（例えば番組表管理サーバ１１）で生成されるようにしてもよい。この場合、サーバ側で生成されたPlayable Indicatorを含む画面の情報が携帯端末１やTV２に送信され、画面の表示が行われる。
【０１６７】
このように、上述した番組表を含む各画面が、番組表管理サーバ１１などのサーバ側で生成されるようにしてもよい。携帯端末１においては、サーバから送信されてきた情報に基づいて、各画面が表示される。
【０１６８】
上述した番組表の表意の切り替えやPlayable Indicatorを含む画面の表示は、セットトップボックスなどの、表示部のない装置による表示制御に適用可能である。
【０１６９】
＜コンピュータの構成例＞
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または汎用のパーソナルコンピュータなどに、プログラム記録媒体からインストールされる。
【０１７０】
図２１は、上述した一連の処理をプログラムにより実行するコンピュータのハードウェアの構成例を示すブロック図である。
【０１７１】
CPU(Central Processing Unit)１００１、ROM(Read Only Memory)１００２、RAM(Random Access Memory)１００３は、バス１００４により相互に接続されている。
【０１７２】
バス１００４には、さらに、入出力インタフェース１００５が接続されている。入出力インタフェース１００５には、キーボード、マウスなどよりなる入力部１００６、ディスプレイ、スピーカなどよりなる出力部１００７が接続される。また、入出力インタフェース１００５には、ハードディスクや不揮発性のメモリなどよりなる記憶部１００８、ネットワークインタフェースなどよりなる通信部１００９、リムーバブルメディア１０１１を駆動するドライブ１０１０が接続される。
【０１７３】
以上のように構成されるコンピュータでは、CPU１００１が、例えば、記憶部１００８に記憶されているプログラムを入出力インタフェース１００５及びバス１００４を介してRAM１００３にロードして実行することにより、上述した一連の処理が行われる。
【０１７４】
CPU１００１が実行するプログラムは、例えばリムーバブルメディア１０１１に記録して、あるいは、ローカルエリアネットワーク、インターネット、デジタル放送といった、有線または無線の伝送媒体を介して提供され、記憶部１００８にインストールされる。
【０１７５】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１７６】
なお、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１７７】
本明細書に記載された効果はあくまで例示であって限定されるものでは無く、また他の効果があってもよい。
【０１７８】
本技術の実施の形態は、上述した実施の形態に限定されるものではなく、本技術の要旨を逸脱しない範囲において種々の変更が可能である。
【０１７９】
例えば、本技術は、１つの機能をネットワークを介して複数の装置で分担、共同して処理するクラウドコンピューティングの構成をとることができる。
【０１８０】
また、上述のフローチャートで説明した各ステップは、１つの装置で実行する他、複数の装置で分担して実行することができる。
【０１８１】
さらに、１つのステップに複数の処理が含まれる場合には、その１つのステップに含まれる複数の処理は、１つの装置で実行する他、複数の装置で分担して実行することができる。
【０１８２】
＜構成の組み合わせ例＞
本技術は、以下のような構成をとることもできる。
【０１８３】
（１）
画面の表示内容を音声によって読み上げる補助機能がオンになっている場合、所定の内容に関する画面を、前記補助機能がオフになっている場合の構造と異なる構造の画面として表示させる表示制御部を備える
情報処理端末。
（２）
番組表データを取得する取得部をさらに備え、
前記表示制御部は、番組表の画面を表示させる
前記（１）に記載の情報処理端末。
（３）
前記表示制御部は、前記補助機能がオンになっている場合、階層が異なる複数の画面からなる前記番組表の画面を表示させ、前記補助機能がオフになっている場合、１つの階層の画面からなる前記番組表の画面を表示させる
前記（２）に記載の情報処理端末。
（４）
前記表示制御部は、前記補助機能がオンになっている場合、チャンネルリストの画面と、前記チャンネルリストから選択された所定のチャンネルにおいて提供される番組のリストの画面とからなる、リスト形式の前記番組表の画面を表示させる
前記（３）に記載の情報処理端末。
（５）
前記表示制御部は、前記補助機能がオフになっている場合、所定の一方向をチャンネル方向、前記所定の一方向と直交する方向を時間方向とし、各番組が、提供される時間帯に応じた位置に配置されたグリッド形式の前記番組表の画面を表示させる
前記（３）または（４）に記載の情報処理端末。
（６）
前記補助機能のオンまたはオフを設定する制御部をさらに備え、
前記補助機能は、前記番組表の表示機能を実現するプログラムとは異なるプログラムによって実現される
前記（２）乃至（５）のいずれかに記載の情報処理端末。
（７）
情報処理端末が、
画面の表示内容を音声によって読み上げる補助機能がオンになっている場合、所定の内容に関する画面を、前記補助機能がオフになっている場合の構造と異なる構造の画面として表示させる
情報処理方法。
（８）
コンピュータに、
画面の表示内容を音声によって読み上げる補助機能がオンになっている場合、所定の内容に関する画面を、前記補助機能がオフになっている場合の構造と異なる構造の画面として表示させる
処理を実行させるプログラム。
（９）
番組を提供する複数のチャンネルのうちの、視聴可能なチャンネルを表す情報を取得する取得部と、
番組に関する情報を表示する画面に、視聴可能なチャンネルであることを表すインジケータを表示させる表示制御部と
を備える情報処理端末。
（１０）
前記表示制御部は、番組表の画面に形成された各チャンネルの領域のうち、視聴可能なチャンネルの領域に前記インジケータを表示させる
前記（９）に記載の情報処理端末。
（１１）
前記表示制御部は、所定の一方向をチャンネル方向、前記所定の一方向と直交する方向を時間方向とし、各番組が、提供される時間帯に応じた位置に配置されたグリッド形式の番組表の画面に前記インジケータを表示させる
前記（９）に記載の情報処理端末。
（１２）
前記表示制御部は、チャンネルリストの画面に形成された各チャンネルの領域のうち、視聴可能なチャンネルの領域に前記インジケータを表示させる
前記（９）に記載の情報処理端末。
【符号の説明】
【０１８４】
１  携帯端末，  ２  TV，  １１  番組表管理サーバ，  １２  携帯端末用番組配信サーバ，  １３  番組配信サーバ，  １３１  制御部，  １３２  番組データ取得部，  １３３  再生部,  １３４  出力制御部，  １３５  番組表データ取得部，  １４１  ビデオデコーダ,  １４２  オーディオデコーダ，  １５１  表示制御部，  １５２  音声出力制御部
【図１】
2019073813.tif 000003
【図２】
2019073813.tif 000004
【図３】
2019073813.tif 000005
【図４】
2019073813.tif 000006
【図５】
2019073813.tif 000007
【図６】
2019073813.tif 000008
【図７】
2019073813.tif 000009
【図８】
2019073813.tif 000010
【図９】
2019073813.tif 000011
【図１０】
2019073813.tif 000012
【図１１】
2019073813.tif 000013
【図１２】
2019073813.tif 000014
【図１３】
2019073813.tif 000015
【図１４】
2019073813.tif 000016
【図１５】
2019073813.tif 000017
【図１６】
2019073813.tif 000018
【図１７】
2019073813.tif 000019
【図１８】
2019073813.tif 000020
【図１９】
2019073813.tif 000021
【図２０】
2019073813.tif 000022
【図２１】
2019073813.tif 000023
【国際調査報告】
2019073813.tif 000024
2019073813.tif 000025
2019073813.tif 000026
2019073813.tif 000027
2019073813.tif 000028
2019073813.tif 000029
2019073813.tif 000030